(57)【要約】【課題】打球性も耐摩耗性も更に良いラケット用ストリングを提供しようとする。【解決手段】その軸線方向に沿っている芯部と、該芯部を周りから囲んでいる鞘部とからなった芯鞘構造を有する第１芯線と、それぞれが前記芯鞘構造を有する上、互いに並んで前記第１芯線を周りから囲んでいる複数本の第２芯線と、前記第２芯線を周りから被覆している外皮層とから構成されており、且つ、前記複数本の第２芯線の芯線同士間の隙間をも含めた、前記第１芯線の外周面と前記外皮層の内周面との間に接着剤が充填されて前記第１芯線と前記第２芯線と前記外皮層とが互いに固着されており、また、前記第１芯線及び第２芯線それぞれの芯部及び鞘部、並びに前記外皮層の一部が弾性材料からなり、残りの部分が硬性材料からなっているラケット用ストリングを提供する。【選択図】図２
0003125667.tif 000002
【実用新案登録請求の範囲】
【請求項１】
その軸線方向に沿っている芯部と、該芯部を周りから囲んでいる鞘部とからなった芯鞘構造を有する第１芯線と、
それぞれが前記芯鞘構造を有する上、互いに並んで前記第１芯線を周りから囲んでいる複数本の第２芯線と、
前記複数本の第２芯線を周りから被覆している外皮層とから構成されており、
且つ、前記複数本の第２芯線の芯線同士間の隙間をも含めた、前記第１芯線の外周面と前記外皮層の内周面との間に接着剤が充填されて前記第１芯線と前記第２芯線と前記外皮層とが互いに固着されており、
また、前記第１芯線及び第２芯線それぞれの芯部及び鞘部、並びに前記外皮層のうちの一部が弾性材料からなり、残りの部分が硬性材料からなっていることを特徴とするラケット用ストリング。
【請求項２】
前記外皮層は、弾性材料から形成されたものであることを特徴とする請求項１に記載のラケット用ストリング。
【請求項３】
前記外皮層は、硬性材料から形成されたものであることを特徴とする請求項１に記載のラケット用ストリング。
【請求項４】
前記第１芯線及び第２芯線それぞれの芯部及び鞘部、並びに前記外皮層の一部に使用された弾性材料は、それぞれポリウレタン、ポリエステル弾性体、スチレン弾性体よりなる群から選ばれた少なくとも１種の熱可塑性ポリマーであることを特徴とする請求項１に記載のラケット用ストリング。
【請求項５】
前記残りの部分に使用された硬性材料は、それぞれポリアミド、ポリエチレンテレフタレート及びそれらの混合物から選んだ少なくとも１種であることを特徴とする請求項４に記載のラケット用ストリング。
【請求項６】
前記第２芯線の直径は第１芯線の直径より小であることを特徴とする請求項１に記載のラケット用ストリング。
【考案の詳細な説明】
【技術分野】
【０００１】
本考案は、テニス、バドミントン、スカッシュなどのフェース面をもつラケットに張設されるストリングに関するものである。
【背景技術】
【０００２】
従来より、緩衝性、制球性などの打球性及び耐摩耗性に優れたテニス、バドミントン、スカッシュなどのラケット用ストリングがいつも人々に望まれている。
【０００３】
例えば、その軸線方向に沿っている弾性材料製の芯部１１と、該芯部１１を周りから囲んでいる硬性材料製の鞘部１２とからなった、図４のような芯鞘構造を有するストリング１０（特許文献１参照）が出てきて一時に流行っていた。
【０００４】
このような芯鞘構造を有するストリング１０は、その芯部による弾性とその鞘部による硬性との組み合わせで打球性も耐摩耗性も大いに改善されたが、人々の満足を得なかった。
【０００５】
その後のヒット商品は、図５のようなストリング３０であった。このストリング３０は、前記のような芯鞘構造を有する芯線１０と、それぞれが少々捩じれる上、内外２重にもなるように互いに並んで前記芯線１１を周りから囲んでいる複数のフィラメント３１と、前記複数のフィラメント３１を周りから被覆している外皮層３２とからなっている。（特許文献２参照）
【０００６】
このようなストリング３０は、芯鞘構造の外に、更に２重のフィラメント層と一重の外皮層を加えて大きな工夫をしたので、打球性も耐摩耗性も多かれ少なかれ高められるが、その改善の程度、特に打球性に対する改善の程度がそれにかかった工夫と比例にならない上、やはり人々の満足を得なかった。
【特許文献１】台湾特許第４４１３７９号
【特許文献２】台湾特許第４６８４９４号
【考案の開示】
【考案が解決しようとする課題】
【０００７】
前記に鑑みて、本考案は、打球性も耐摩耗性も更に良いラケット用ストリングを提供しようとすることを目的とする。
【課題を解決するための手段】
【０００８】
前記目的を達成するために、本願の考案者は、研究に研究を重ねるうちに、前記文献１に導入された技術と前記文献２に導入された技術とを比べてみた結果、下記の事実に気付いた。
【０００９】
即ち、文献１に導入された技術の割合に大きな改善は、芯部になった弾性材料と鞘部になった硬性材料との互いに相俟ってなったものであること。言い換えれば、文献２におけるフィラメントを芯鞘構造を有するものに代えれば、ラケットの打球性を文献２よりもっと改善することができる。
【００１０】
また、文献２に導入された技術の割合に小さな改善は、そのフィラメント層と外皮層が打球時に芯線に対し滑りやすいことにもよるのであること。言い換えれば、それらを芯線に対しもっと丈夫に固定することができれば、ラケットの打球性をもっと改善することができる。
【００１１】
従って、本考案は、その軸線方向に沿っている芯部と、該芯部を周りから囲んでいる鞘部とからなった芯鞘構造を有する第１芯線と、それぞれが前記芯鞘構造を有する上、互いに並んで前記第１芯線を周りから囲んでいる複数本の第２芯線と、前記第２芯線を周りから被覆している外皮層とから構成されており、且つ、前記複数本の第２芯線の芯線同士間の隙間をも含めた、前記第１芯線の外周面と前記外皮層の内周面との間に接着剤が充填されて前記第１芯線と前記第２芯線と前記外皮層とが互いに固着されており、また、前記第１芯線及び第２芯線それぞれの芯部及び鞘部、並びに前記外皮層の一部が弾性材料からなり、残りの部分が硬性材料からなっているラケット用ストリングを提供する。
【考案の効果】
【００１２】
前記構成によるラケット用ストリングは、まず、複数本の第２芯線の芯線同士間の隙間をも含めた、前記第１芯線の外周面と前記外皮層の内周面との間に接着剤が充填されて前記第１芯線と前記第２芯線と前記外皮層とが互いに固着されているので、複数本の第２芯線と外皮層が打球時に第１芯線に対し滑りににくく、ラケットの打球性に悪影響を与えない。
【００１３】
また、複数本の第２芯線も第１芯線と同じようにそれぞれ芯鞘構造を有するので、第１芯線の芯鞘構造と合わせて弾性材料と硬性材料との組合わせを調和し、また、必要であれば、同一の芯線における芯鞘とも同じく弾性材料または硬性材料の一方を使用しても、弾性または硬性の違うものを使用して調和しても良い。それにより、ストリングの各部位の弾性材料と硬性材料との互いに相俟つことにより、ラケットの打球性を容易に向上させることができる。
【考案を実施するための最良の形態】
【００１４】
以下、図示を参照しながら本考案の好適な実施例を詳細に説明する。
本考案の好適な実施例のラケット用ストリング４は、図１に示したテニス、バドミントン、スカッシュなどのラケット８に使われる。詳細な構造としては、図２及び図３に示すように、その軸線方向（Ｉ）に沿っている芯部４１と、該芯部４１を周りから囲んでいる鞘部４２とからなった芯鞘構造を有する第１芯線４０と、それぞれが前記芯鞘（５１、５２参照）構造を有する上、互いに並んで第１芯線４０を周りから囲んでいる複数本の第２芯線５０と、複数本の第２芯線５０を周りから被覆している外皮層６０とから構成されている。
【００１５】
図示をもっと詳しくみると、複数本の第２芯線５０はそれぞれ直径が第１芯線４０の直径より遥かに小であるものであって周囲からしっかりと第１芯線４０を囲んで有効に被覆している上、複数本の第２芯線５０の芯線同士間の隙間をも含めた、第１芯線４０の外周面と外皮層６０の内周面との間に接着剤７０が充填されて第１芯線４０と第２芯線５０と外皮層６０とが互いに固着されている。
【００１６】
この実施例においては、第１芯線４０及び第２芯線５０はそれぞれ断面が円形となったものであるが、必要があれば他の形状にしても構わない。
【００１７】
また、この実施例においては、第２芯線５０が第１芯線４０と同様に芯部５１と鞘部５２とを有する芯鞘構造にされ、且つ、第１芯線４０と第２芯線５０とも、芯部４１、５１が弾性材料からなり、鞘部４２、５２が硬性材料からなり、それに外皮層６０が弾性材料からなっているので、第２芯線５０がただその芯部５１による弾性とその鞘部５２による硬性との組み合わせで打球性も耐摩耗性も大いに改善されるばかりでなく、ストリング４全体も、第１芯線４０の芯鞘構造と第２芯線５０の芯鞘構造と外皮層６０の弾性材料とが相俟って相乗効果を生じ、打球性も耐摩耗性ももっと大幅に改善される。
【００１８】
そして、この実施例のストリング４は、その第１芯線４０と第２芯線５０と外皮層６０とが接着剤７０によって互いに固着されているので、従来例のような、打球時の構造間の滑りによる歪みがなく、打球性はよく確保できる。
【００１９】
なお、この実施例においては、弾性材料としてポリウレタンが使用されたが、ポリエステル弾性体、スチレン弾性体などの熱可塑性ポリマーが使用されても良い。硬性材料としてポリアミドが使用されたが、ポリエチレンテレフタレートなど、またはそれとポリアミドとの混合物が使用されても良い。
【００２０】
そして、前記いずれかの芯鞘構造における芯部も鞘部も同じく弾性材料または同じく硬性材料を使用しても良い。その場合、弾性材料であれば芯鞘それぞれ弾性の異なる材料を、硬性材料であれば芯鞘それぞれ硬性の異なる材料を使用した方が良い。それにより、ストリング４は特殊な打球性を謀るために、その第１芯線４０及び第２芯線５０の芯鞘構造の材料を任意に組み合わせて調和することができるからである。
【産業上の利用可能性】
【００２１】
前記構成によるラケット用ストリングは、まず、複数本の第２芯線の芯線同士間の隙間をも含めた、前記第１芯線の外周面と前記外皮層の内周面との間に接着剤が充填されて前記第１芯線と前記第２芯線と前記外皮層とが互いに固着されているので、複数本の第２芯線と外皮層が打球時に第１芯線に対し滑りににくく、ラケットの打球性に悪影響を与えない。
【００２２】
また、複数本の第２芯線も第１芯線と同じようにそれぞれ芯鞘構造を有するので、第１芯線の芯鞘構造と合わせて弾性材料と硬性材料との組合わせを調和し、また、必要であれば、同一の芯線における芯鞘とも同じく弾性材料または硬性材料の一方を使用しても、弾性または硬性の違うものを使用して調和しても良い。それにより、ストリングの各部位の弾性材料と硬性材料との互いに相俟つことにより、ラケットの打球性を容易に向上させることができる。
【図面の簡単な説明】
【００２３】
【図１】本考案のストリングから構成されたラケットの正面図。
【図２】本考案の好適な実施例におけるラケット用ストリングの構成図。
【図３】図２のラケット用ストリングの横断面図。
【図４】従来例のラケット用ストリングの横断面図。
【図５】他の一つの従来例であるラケット用ストリングの構成図。
【符号の説明】
【００２４】
４．．．ストリング
８．．．ラケット
４０．．．第１芯線
５０．．．第２芯線
４１、５１．．．芯部
４２、５２．．．鞘部
６０．．．外皮層
７０．．．接着剤
【図１】
0003125667.tif 000003
【図２】
0003125667.tif 000004
【図３】
0003125667.tif 000005
【図４】
0003125667.tif 000006
【図５】
0003125667.tif 000007